(57)【特許請求の範囲】
【請求項１】
（ａ）下記一般式（１）で表されるスルホコハク酸アルキルエステル又はその塩、（ｂ）炭素数８〜２１の炭化水素基と、硫酸エステル塩基又はスルホン酸塩基とを有する陰イオン界面活性剤〔但し（ａ）を除く〕５〜３５質量％、及び（ｃ）スルホベタイン型界面活性剤を含有する手洗い用食器洗浄剤組成物。
【化１】
0005654537.tif 000006
〔式中、Ｒ1、Ｒ2は、それぞれ、炭素数５〜１８のアルキル基である。Ａ1、Ａ2はそれぞれ独立に炭素数２〜４のアルキレン基、ｘ、ｙは平均付加モル数でありそれぞれ独立に０〜６である。Ｍ1は陽イオンである。〕
【請求項２】
更に、（ｄ）含マグネシウム無機化合物及び／又はアルキレンジアミン（アルキレン基は炭素数２〜６）を含有する請求項１記載の手洗い用食器洗浄剤組成物。
【請求項３】
（ｅ）アミンオキシド型界面活性剤、カルボベタイン型界面活性剤及びアルカノールアミド型界面活性剤から選ばれる界面活性剤の含有量が、組成物中５質量％以下である、請求項１又は２記載の手洗い用食器洗浄剤組成物。
【請求項４】
（ｂ）が、炭素数８〜１８のアルキル基を有するアルキル硫酸エステル塩、炭素数８〜１８のアルキル基を有し炭素数２〜３のオキシアルキレン基の平均付加モル数が０．１〜６であるポリオキシアルキレンアルキルエーテル硫酸エステル塩、炭素数８〜１５のアルキル基を有するアルキルベンゼンスルホン酸塩、並びに炭素数１０〜１５のアルカンスルホン酸塩から選ばれる陰イオン界面活性剤である請求項１〜３の何れか１項記載の手洗い用食器洗浄剤組成物。
【請求項５】
組成物中の全界面活性剤の含有量に対する（ａ）、（ｂ）、及び（ｃ）の合計質量が５０〜１００質量％である請求項１〜４の何れか１項記載の手洗い用食器洗浄剤組成物。
【請求項６】
更に、（ｆ）炭素数１０〜１８の脂肪酸又はその塩を、組成物中、０．５質量％以下含有する請求項１〜５の何れか１項記載の手洗い用食器洗浄剤組成物。
【請求項７】
（ｂ）が、下記一般式（２）の化合物である、請求項１〜６の何れか１項記載の手洗い用食器洗浄剤組成物。
Ｒ3−Ｏ−（Ｒ4Ｏ）n−ＳＯ3Ｍ2        （２）
〔式中、Ｒ3は、炭素数８〜１８のアルキル基であり、Ｒ4は、エチレン基及びプロピレン基、又はプロピレン基であり、ｎは平均付加モル数であり０以上６以下の数である。Ｍ2は陽イオンである。〕
【請求項８】
（ｂ）が、下記一般式（２）の化合物である、請求項１〜６の何れか１項記載の手洗い用食器洗浄剤組成物。
Ｒ3−Ｏ−（Ｒ4Ｏ）n−ＳＯ3Ｍ2        （２）
〔式中、Ｒ3は、炭素数８〜１８のアルキル基であり、Ｒ4は、プロピレン基であり、ｎは平均付加モル数であり０以上６以下の数である。Ｍ2は陽イオンである。〕
【請求項９】
（ａ）／（ｂ）の質量比が、０．２以上、２．５以下である、請求項１〜８の何れか１項記載の手洗い用食器洗浄剤組成物。
【請求項１０】
（ｂ）／（ｃ）の質量比が、０．３以上、６以下である、請求項１〜９の何れか１項記載の手洗い用食器洗浄剤組成物。
【請求項１１】
（ａ）／（ｃ）の質量比が、０．５以上、５以下である、請求項１〜１０の何れか１項記載の手洗い用食器洗浄剤組成物。
【請求項１２】
（ｃ）／〔（ａ）＋（ｂ）〕の質量比が、０．１５以上、２以下である、請求項１〜１１の何れか１項記載の手洗い用食器洗浄剤組成物。
【請求項１３】
アミンオキシド型界面活性剤、カルボベタイン型界面活性剤及びアルカノールアミド型界面活性剤から選ばれる界面活性剤を（ｅ）成分として、組成物中の（ｅ）成分の含有量が３質量％以下である、請求項１〜１２の何れか１項記載の手洗い用食器洗浄剤組成物。
【請求項１４】
請求項１〜１３の何れか１項記載の手洗い用食器洗浄剤組成物を用いた洗浄液で食器を手洗い洗浄し、その後、水を用いてすすぎを行う、食器の洗浄方法。
【発明の詳細な説明】
【技術分野】
【０００１】
本発明は、手洗い用食器洗浄剤組成物に関する。
【背景技術】
【０００２】
手洗い用食器洗浄剤には、洗浄時に豊かな泡立ちと洗浄時の泡の持続性が求められる。この起泡性／泡持続性は洗浄持続性との相関がある非常に重要な物性であり、これまで起泡性／泡持続性に優れる洗浄剤の開発が主に行われてきた。
【０００３】
特許文献１には、スルホスクシネートを含有し、起泡性が高く洗浄力に優れた食器洗浄用に好適な洗浄剤の技術が開示されている。また、特許文献２にはジアルキルスルホスクシネートとアミンオキシド類を含有する食器洗浄剤組成物の技術が開示され、ビルダーとして脂肪酸を含有し得ることが詳細な説明に記載されている。特許文献３には、陰イオン界面活性剤としてスルホコハク酸ジエステル塩と脂肪アルコールのエチレンオキシド縮合物を使用し得る液体洗剤組成物の起泡抑制剤として脂肪酸を使用できることが記載されている。特許文献４には、陰イオン界面活性剤としてスルホコハク酸ジアルキルエステル塩を使用し得る液状又はゲル状の洗剤組成物が開示され、更にベタイン及び／又はアミンオキシドを含有し得ることが記載されている。特許文献５には、スルホコハク酸モノエステル塩を含有し、頭髪および皮膚に優れた湿潤効果およびコンデショニング効果を与える低刺激性クレンジング組成物が記載されている。
【先行技術文献】
【特許文献】
【０００４】
【特許文献１】特開昭６２−２１５６９９号公報
【特許文献２】特表２００８−５０７６１１号公報
【特許文献３】特開平３−２０７７９９号公報
【特許文献４】特開平３−３３１９７号公報
【特許文献５】特表２００８−５０６７２７号公報
【発明の概要】
【発明が解決しようとする課題】
【０００５】
近年、環境負荷軽減、水資源有効利用の目的から、手洗い洗浄に用いる水の量を低減することが好ましく、食器洗浄剤で洗浄後のすすぎ水は極力低減することが望まれる。しかしながら、一般に起泡性／泡持続性に優れる洗浄剤は、すすぎを完了するためには多量の水を必要とする。従って、洗浄時には豊かな泡立ちと泡の持続性を示すが、すすぎ時には瞬時に泡が消え、少量の水ですすぎが完了する手洗い用食器洗浄剤が強く求められる。この点、特許文献１〜３や特許文献５では、すすぎ時の泡消えに関してはなんら考慮されていない。また、特許文献３に「起泡抑制剤」として挙げられているような消泡剤としての脂肪酸は、洗浄時において低泡性にすることを目的としており、洗浄時には非常に豊かな泡を持続的に形成することと、すすぎ時には瞬時に消泡する技術との関連を示唆するものではない。更に、特許文献４では、スルホコハク酸アルキルエステルを用いた具体的な例がないのみならず、ベタインとしてカルボベタイン型界面活性剤を用いた例はあるものの、スルホベタイン型界面活性剤を用いた具体的な例については記載も示唆もなされていない。
【０００６】
従って本発明の課題は、洗浄時には豊かな泡立ちと洗浄時の泡の持続性を示すが、すすぎ時には瞬時に泡が消え、少量の水ですすぎが完了する手洗い用食器洗浄剤を提供することにある。
【課題を解決するための手段】
【０００７】
本発明は、（ａ）下記一般式（１）で表されるスルホコハク酸アルキルエステル又はその塩〔以下、（ａ）成分という〕、（ｂ）炭素数８〜２１の炭化水素基と、硫酸エステル塩基又はスルホン酸塩基とを有する陰イオン界面活性剤〔但し（ａ）を除く〕〔以下、（ｂ）成分という〕５〜３５質量％、及び（ｃ）スルホベタイン型界面活性剤〔以下、（ｃ）成分という〕を含有する手洗い用食器洗浄剤組成物に関する。
【０００８】
【化１】
0005654537.tif 000002
【０００９】
〔式中、Ｒ1、Ｒ2は、それぞれ、炭素数５〜１８のアルキル基又は水素原子であり、Ｒ1、Ｒ2の少なくとも一方は炭素数５〜１８のアルキル基である。即ち、Ｒ1とＲ2が同時に水素原子である場合を除く。Ａ1、Ａ2はそれぞれ独立に炭素数２〜４のアルキレン基、ｘ、ｙは平均付加モル数でありそれぞれ独立に０〜６である。Ｍ1は陽イオンである。〕
【００１０】
また、本発明は、上記本発明の手洗い用食器洗浄剤組成物を用いた洗浄液で食器を手洗い洗浄し、その後、水を用いてすすぎを行う、食器の洗浄方法に関する。
【発明の効果】
【００１１】
本発明によれば、洗浄時には豊かな泡立ちと洗浄時の泡の持続性を示すが、すすぎ時には瞬時に泡が消え、少量の水ですすぎが完了する手洗い用食器洗浄剤が提供される。
【図面の簡単な説明】
【００１２】
【図１】実施例で行った泡消え性の評価方法を示す概略図
【図２】実施例の泡消え性の評価で用いた硬水の導入手段（ジョウロ）の穿孔状態を示す概略図
【発明を実施するための形態】
【００１３】
＜（ａ）成分＞
本発明の（ａ）成分は、下記一般式（１）で表されるスルホコハク酸アルキルエステル又はその塩、好ましくはスルホコハク酸ジ若しくはモノアルキルエステル又はその塩である。
【００１４】
【化２】
0005654537.tif 000003
【００１５】
〔式中、Ｒ1、Ｒ2は、それぞれ、炭素数５〜１８、好ましくは６〜１４、より好ましくは７〜１０、また、炭素数５以上、好ましくは６以上、更に７以上、そして、１８以下、好ましくは１４以下、更に１０以下のアルキル基又は水素原子であり、Ｒ1、Ｒ2の少なくとも一方は炭素数５〜１８、また、炭素数５以上、１８以下のアルキル基である。即ち、Ｒ1とＲ2が同時に水素原子である場合を除く。Ａ1、Ａ2はそれぞれ独立に炭素数２〜４、好ましくは２〜３、また、炭素数２以上、そして、４以下、好ましくは３以下のアルキレン基、ｘ、ｙは平均付加モル数であり、それぞれ独立に０〜６、更に０〜３、更に０〜２、更に０〜１、また、０以上、そして、６以下、更に２以下、更に１以下、更に０である。Ｍ1は陽イオン、好ましくは無機又は有機の陽イオンである。〕
【００１６】
（ａ）成分が、スルホコハク酸ジアルキルエステル又はその塩である場合、一般式（１）中のＲ1、Ｒ2は、同一あるいは異なっていても良く、洗浄時の起泡性及びすすぎ時の泡消え性の観点から、炭素数５〜１８、好ましくは６〜１４、より好ましくは７〜１０、また、炭素数５以上、好ましくは６以上、更に７以上、そして、１８以下、好ましくは１４以下、更に１０以下のアルキル基であり、好ましくは分岐構造を有するアルキル基である。５以上の炭素数で良好なすすぎ時の泡消え性が得られ、１８以下の炭素数で良好な洗浄時の起泡性が得られる。
【００１７】
また、（ａ）成分が、スルホコハク酸モノアルキルエステル又はその塩である場合、一般式（１）中のＲ1、Ｒ2の一方は、洗浄時の起泡性及びすすぎ時の泡消え性の観点から、炭素数５〜１８、好ましくは６〜１４、より好ましくは７〜１０、また、炭素数５以上、好ましくは６以上、更に７以上、そして、１８以下、好ましくは１４以下、更に１０以下のアルキル基であり、他方は水素原子である。
【００１８】
一般式（１）中のＲ1、Ｒ2は、洗浄時の起泡性及びすすぎ時の泡消え性の観点から、それぞれ、炭素数５〜１８、好ましくは６〜１４、より好ましくは７〜１０、また、炭素数５以上、好ましくは６以上、更に７以上、そして、１８以下、好ましくは１４以下、更に１０以下のアルキル基であること、すなわち、（ａ）成分が、スルホコハク酸ジアルキルエステル又はその塩であることが、起泡力、泡消え性の観点から好ましい。Ａ1、Ａ2は洗浄時の起泡性及びすすぎ時の泡消え性の観点からそれぞれ独立に炭素数２〜４、好ましくは２〜３、また、炭素数２以上、そして、４以下、好ましくは３以下のアルキレン基である。ｘ、ｙは平均付加モル数であり、洗浄時の起泡性及びすすぎ時の泡消え性の観点から、それぞれ０〜６であり、好ましくは０〜３、より好ましくは０〜２であり、より好ましくは０〜１、また、０以上、そして、６以下、好ましくは３以下、更に２以下、更に１以下であり、更に好ましくは０である。
【００１９】
一般式（１）中、Ｒ1、Ｒ2は、それぞれ、具体的にはヘキシル基、オクチル基、ノニル基、デシル基、ドデシル基、トリデシル基、２−エチルヘキシル基、ｎ−オクチル基、ｓｅｃ−オクチル基、イソペンチル基、イソノニル基、イソデシル基、シクロヘキシル基であり、ｎ−オクチル基、ｓｅｃ−オクチル基、デシル基、イソデシル基、及び２−エチルヘキシル基から選ばれる基であることがより好適であり、２−エチルヘキシル基が更に好適である。Ｍ1としては、水素イオン、ナトリウムイオン、カリウムイオン、マグネシウムイオン、アンモニウムイオンから選ばれる無機陽イオン、モノエタノールアンモニウムイオン、ジエタノールアンモニウムイオン、トリエタノールアンモニウムイオンから選ばれる有機陽イオンが挙げられるが、好ましくはナトリウムイオン、カリウムイオン、マグネシウムイオン、及びアンモニウムイオンから選ばれる陽イオンである。
【００２０】
（ａ）成分が、スルホコハク酸ジアルキルエステル又はその塩である場合、Ｒ1、Ｒ2が同一の化合物の調製方法としては、特に限定されるものではないが、例えば米国特許明細書第２，０２８，０９１号公報に記載の方法を参考にして製造することができ、また、Ｒ1、Ｒ2が異なる非対称の化合物の調製方法としては、例えば特開昭５８−２４５５５号公報を参考にして製造することができる。市販の化合物を用いる場合には、花王（株）製ペレックスＯＴ−Ｐ（Ｒ1、Ｒ2が共に２−エチルヘキシル基である化合物）、同ペレックスＴＲ（Ｒ1、Ｒ2が共にトリデシル基である化合物）、ＢＡＳＦ社製ＬｕｅｎｓｉｔＡ−ＢＯ（Ｒ1、Ｒ2が共に２−エチルヘキシル基である化合物）、三井サイテック株式会社から入手可能であったエアロゾルＡＹ−１００（Ｒ1、Ｒ2が共にアミル基である化合物）、同エアロゾルＡ−１９６（Ｒ1、Ｒ2が共にシクロヘキシル基である化合物）などを用いることができる。
【００２１】
＜（ｂ）成分＞
本発明の（ｂ）成分は、炭素数８〜２１の炭化水素基と、硫酸エステル基又はスルホン酸基を有する陰イオン界面活性剤〔但し（ａ）成分を除く〕である。このような陰イオン界面活性剤は非常に起泡性に優れることが知られており、より具体的には、炭素数８〜１８、好ましくは炭素数８〜１５、また、炭素数８以上、そして、１８以下、好ましくは１５以下のアルキル基を有するアルキル硫酸エステル塩、炭素数８〜１８、好ましくは炭素数８〜１５、また、炭素数８以上、そして、１８以下、更に１５以下のアルキル基を有し炭素数２〜３のオキシアルキレン基の平均付加モル数が０．１〜６、好ましくは０．３〜３、より好ましくは０．４〜１．５、また、０．１以上、更に０．３以上、更に０．４以上、そして、６以下、更に３以下、更に１．５以下であるポリオキシアルキレンアルキルエーテル硫酸エステル塩、炭素数８〜１５のアルキル基を有するアルキルベンゼンスルホン酸塩、並びに炭素数８〜１５のアルカンスルホン酸塩から選ばれる陰イオン界面活性剤が好適である。塩としてはナトリウム塩、カリウム塩、マグネシウム塩、アンモニウム塩から選ばれる無機塩、モノエタノールアミン塩、ジエタノールアミン塩、トリエタノールアミン塩から選ばれる有機アミン塩が好適である。
【００２２】
（ｂ）成分としては、下記一般式（２）の化合物が洗浄時の起泡性や泡持続性及びすすぎ時の泡消え性の点から好適である。
Ｒ3−Ｏ−（Ｒ4Ｏ）n−ＳＯ3Ｍ2        （２）
〔式中、Ｒ3は、炭素数８〜１８、好ましくは８〜１５、また、炭素数８以上、そして、１８以下、更に１５以下のアルキル基であり、Ｒ4は、エチレン基及び／又はプロピレン基であり、ｎは平均付加モル数であり０以上６以下の数、好ましくは０．１以上２以下の数、より好ましくは０．３以上１以下、また、０以上、更に０．１以上、更に０．３以上、そして、６以下、更に２以下、更に１以下の数である。Ｍ2は陽イオン、好ましくは無機又は有機の陽イオンである。〕
【００２３】
ｎは、Ｒ4がエチレン基の場合には１．５以下、更に１以下の数が好ましく、また、０．３以上、更に０．５以上の数がより好ましい。また、ｎは、Ｒ4がプロピレン基の場合には１．５以下、更に１以下、更に０．８以下の数が好ましく、また、０．１以上、更に０．３以上、更に０．４以上の数が好ましい。また、Ｒ4がエチレン基及びプロピレン基の場合には、ｎはこれらの範囲からそれぞれ選択できる。
【００２４】
一般式（２）において、ｎが０の場合には、Ｒ3が分岐構造を有するアルキル基を含む化合物が好ましい。ｎが０である場合、一般式（２）の化合物は、分岐率〔一般式（２）の化合物の総モル数に対して分岐鎖アルキル基を有する化合物の総モル数の割合〕が好ましくは１５〜１００モル％、より好ましくは４０〜１００モル％、更に好ましくは７０〜１００モル％、また１５モル％以上、更に４０モル％以上、更に７０モル％以上、そして、１００モル％以下の化合物が好適である。
【００２５】
一般式（２）中のＭ2はナトリウムイオン、カリウムイオン、マグネシウムイオン、アンモニウムイオンから選ばれる無機陽イオン、モノエタノールアンモニウムイオン、ジエタノールアンモニウムイオン、トリエタノールアンモニウムイオンから選ばれる有機陽イオンであるが、好ましくはナトリウムイオン、カリウムイオン、マグネシウムイオンである。
【００２６】
一般式（２）の化合物の調製方法としては、特に限定されるものではないが、例えばＲ3−ＯＨで示される脂肪アルコールに目的に応じてエチレンオキシド及び／又はプロピレンオキシドを所定量付加させた後、三酸化硫黄（液体又は気体）、三酸化硫黄含有ガス、発煙硫酸、クロルスルホン酸から選ばれる硫酸化剤で硫酸エステル化し、所定のアルカリ剤で中和して製造される。エチレンオキシド（以下、ＥＯと表記する）及び／又はプロピレンオキシド（以下、ＰＯと表記する）の付加反応は触媒が必要でありＮａＯＨ、ＫＯＨなどの水酸化アルカリを用いることができる。また、特開平８−３２３２００号公報に記載の酸化マグネシウムを主成分とする触媒を用いることができ、前者は付加モル数分布が比較的広いポリオキシエチレンアルキルエーテルを得ることができ、後者は比較的狭い付加モル数分布を有する化合物を得ることができる。また、特開平１０−１５８３８４号公報に開示されているようにアルカリ触媒と金属酸化物触媒を併用することにより付加モル数分布を制御することも可能である。
【００２７】
一般式（２）においてｎが０の場合に好適であるＲ3が分岐構造を有するアルキル基を含む化合物を得る場合には、原料であるＲ3−ＯＨで示されるアルコールとして、炭素数８〜１４の１−アルケンをヒドロホルミル化して得られたアルコール（ＯＨ基に対してβ位にメチル基が分岐したアルキル基が１５〜７０モル％含まれる）、炭素数４〜８のアルデヒドを縮合させた後、還元して得られるゲルベ型アルコール（ＯＨ基に対してβ位に炭素数３〜６のアルキル基が分岐した構造のものが１００モル％含まれる）、イソブテンの２量体をヒドロホルミル化して得られる３，５，５−トリメチルヘキサノール、イソブテンの３量体をヒドロホルミル化して得られる多分岐トリデカノール（分岐率は１００モル％である）、石油、石炭を原料とした合成アルコール（分岐率が約２０〜１００モル％のアルキル基である）を挙げることができる。
【００２８】
本発明では、（ｂ）成分として、一般式（２）で表される化合物であって、Ｒ4がプロピレン基であり、ｎが０．１〜１．５、更に０．３〜１、更に０．４〜０．８、また、０．１以上、更に０．３以上、更に０．４以上、そして、１．５以下、更に１以下、更に０．８以下の数である化合物が最も好ましい。
【００２９】
＜（ｃ）成分＞
本発明では、増泡効果のある界面活性剤として、（ｃ）成分のスルホベタイン型界面活性剤を用いる。スルホベタイン型界面活性剤は洗浄時の起泡性／泡持続性を改善するが、すすぎ時の瞬時の泡消え性を損なうことがない。スルホベタイン型界面活性剤としては、アルキル基の炭素数が１０〜１８のＮ−アルキル−Ｎ，Ｎ−ジメチル−Ｎ−スルホプロピルアンモニウムスルホベタイン、Ｎ−アルキル−Ｎ，Ｎ−ジメチル−Ｎ−（２−ヒドロキシスルホプロピル）アンモニウムスルホベタイン、アルカノイル基の炭素数が１０〜１８のＮ−アルカノイルアミノプロピル−Ｎ，Ｎ−ジメチル−Ｎ−スルホプロピルアンモニウムスルホベタイン、Ｎ−アルカノイルアミノプロピル−Ｎ，Ｎ−ジメチル−Ｎ−（２−ヒドロキシスルホプロピル）アンモニウムスルホベタインが好適である。
【００３０】
＜手洗い用食器洗浄剤組成物＞
本発明の手洗い用食器洗浄剤組成物は、起泡性／泡持続性を有する（ｂ）成分及び（ｃ）成分と、（ａ）成分とを特定条件で併用することにより、比較的洗浄剤の濃度が高い洗浄水においては非常に高い起泡性と泡持続性を示すが、洗浄終了後にすすぎ水を添加することにより、瞬時に泡が消え、少量の水ですすぎを完了させることができる。この理由は必ずしも定かではないが、すすぎ時の界面活性剤濃度が低い環境下では、各分子の分子運動性が泡膜に及ぼす影響が大きくなると考えられるところ、カチオン基の位置が他のベタイン（例えば、カルボベタインなど）と異なる（ｃ）成分と、（ａ）成分のアニオン基が相互作用した場合、非常に大きな分子運動性をもつコンプレックスが形成されることにより、瞬時に泡を消すことができるものと考えられる。
【００３１】
本発明の手洗い用食器洗浄剤組成物は、起泡力、泡消え性及び経済性の観点から、（ａ）成分を１質量％以上、好ましくは２質量％以上、より好ましくは３質量％以上、また、３０質量％以下、より好ましくは２５質量％以下、更に好ましくは２０質量％以下、より更に好ましくは１５質量％以下含有し、例えば１〜３０質量％、更に３〜２５質量％、更に３〜２０質量％、更に３〜１５質量％含有する。
【００３２】
また、本発明の手洗い用食器洗浄剤組成物は、起泡力、泡消え性及び経済性の観点から、（ｂ）成分を５質量％以上、好ましくは７質量％以上、より好ましくは９質量％以上、また、３５質量％以下、好ましくは２０質量％以下、より好ましくは１５質量％以下含有し、例えば５〜３５質量％、更に７〜２０質量％、更に９〜１５質量％含有する。なお、本発明において質量％や質量比等を求めるための（ｂ）成分の量は、Ｎａ塩としての量である。
【００３３】
また、本発明の手洗い用食器洗浄剤組成物は、起泡力、泡消え性及び経済性の観点から、（ｃ）成分を１質量％以上、より好ましくは２質量％以上、更に好ましくは３質量％以上、また、２０質量％以下、より好ましくは１４質量％以下、更に好ましくは１２質量％以下含有し、例えば１〜２０質量％、更に２〜１４質量％、更に３〜１２質量％含有する。
【００３４】
本発明の手洗い用食器洗浄剤組成物は、起泡力、泡消え性及び経済性の観点から、（ａ）成分を好ましくは１〜３０質量％、より好ましくは３〜２５質量％含有する。また、（ｂ）成分を５〜３５質量％、好ましくは７〜２０質量％、より好ましくは９〜１５質量％含有する。なお、本発明において質量％や質量比等を求めるための（ｂ）成分の量は、Ｎａ塩としての量である。また、（ｃ）成分の含有量は、組成物中に好ましくは１〜２０質量％、より好ましくは２〜１４質量％、更に好ましくは３〜１２質量％である。
【００３５】
また、本発明の手洗い用食器洗浄剤組成物では、起泡力及び泡消え性の観点から、（ａ）成分／（ｂ）成分の質量比が好ましくは０．０３〜２．５、より好ましくは０．１５〜２、更に好ましくは０．２〜１．５、より更に好ましくは０．２５〜１、また、好ましくは０．０３以上、更に０．１５以上、更に０．２以上、更に０．２５以上、そして、好ましくは２．５以下、更に２以下、更に１．５以下、更に１以下である。また、（ｂ）成分／（ｃ）成分の質量比が好ましくは０．３〜６、より好ましくは０．５〜５、更に好ましくは１〜４、より更に好ましくは１．５〜３、また、好ましくは０．３以上、更に０．５以上、更に１以上、更に１．５以上、そして、好ましくは６以下、更に５以下、更に４以下、更に３以下であり、（ａ）成分／（ｃ）成分の質量比が好ましくは０．１〜５、より好ましくは０．３〜２．６、更に好ましくは０．６〜２．３、より更に好ましくは０．６〜１．８、また、好ましくは０．１以上、更に０．３以上、更に０．６以上、そして、好ましくは５以下、更に２．６以下、更に２．３以下、更に１．８以下である。
【００３６】
また、本発明の手洗い用食器洗浄剤組成物では、（ｃ）成分／〔（ａ）成分＋（ｂ）成分〕の質量比は、好ましくは０．０２〜２、より好ましくは０．１〜１．５、更に好ましくは０．１５〜１、より更に好ましくは０．１５〜０．５、また、好ましくは０．０２以上、更に０．１以上、更に０．１５以上、そして、好ましくは２以下、更に１．５以下、更に１以下、更に０．５以下であることが、洗浄時の起泡性／泡持続性の改善とすすぎ時の泡消え性の点から好ましい。
【００３７】
本発明では組成物中の全界面活性剤の含有量に対する（ａ）成分、（ｂ）成分、及び（ｃ）成分の合計質量が５０〜１００質量％、更に６０〜１００質量％、更に８０〜１００質量％、より更に９０〜１００質量％、また、５０質量％以上、更に６０質量％以上、更に８０質量％以上、更に９０質量％以上、そして、１００質量％以下であることが起泡力及び泡消え性の観点から好ましい。 
【００３８】
本発明の手洗い用食器洗浄剤組成物は、油汚れに対する乳化力を高め、洗浄力を増強する目的から、（ｄ）成分として、含マグネシウム無機化合物及び／又はアルキレンジアミン化合物（アルキレン基は炭素数２〜６）、好ましくは含マグネシウム無機化合物を含有することが好ましい。これらの化合物は、本発明に必要な効果、すなわち（ａ）成分、（ｂ）成分、及び所望により含有される他の陰イオン界面活性剤の少なくとも２分子と比較的弱く相互作用しコンプレックスを形成させ、乳化力などの界面活性能を向上させる化合物として共通の効果／作用機構を有するものである。
【００３９】
含マグネシウム無機化合物としては、塩化マグネシウム等のマグネシウム塩化物、硫酸マグネシウム、硝酸マグネシウム等のマグネシウム塩、水酸化マグネシウム、酸化マグネシウム等が挙げられるが、塩化マグネシウム及び硫酸マグネシウムから選ばれる化合物がより好ましく、塩化マグネシウムが更により好ましい。また、アルキレンジアミン化合物としては、エチレンジアミン、プロピレンジアミン、へキシレンジアミン、シクロヘキサンジアミンが好適であるが、シクロヘキサンジアミンがより好ましい。
【００４０】
（ｄ）成分の含有量は、組成物中、０．５〜２０質量％、更に０．５〜１５質量％、より更に０．５〜１０質量％、また、０．５質量％以上、更に０．５質量％以上、そして、２０質量％以下、更に１５質量％以下、更に１０質量％以下が好ましい。なお、これら（ｄ）成分は結晶水を含む場合があるが、ここで示す含有量は、結晶水を除いた質量である。
【００４１】
本発明の手洗い用食器洗浄剤組成物は、（ｄ）成分の補助として（ｄ）成分以外の無機化合物を併用してもよい。無機化合物としては、塩化ナトリウム、塩化カリウム、ヨウ化ナトリウム、ヨウ化カリウム、硫酸ナトリウム、硫酸カリウム、ミョウバン等が挙げられる。
【００４２】
本発明においては洗浄時及びすすぎ時の泡の挙動が非常に重要である。手洗い用食器洗浄剤組成物の一般的な研究においては、洗浄時の起泡性／泡持続性を考慮して増泡効果のある界面活性剤を併用することが行われているが、本発明においてはこのような増泡効果のある界面活性剤はすすぎ時の泡消え性に大きな影響を及ぼすため、使用する場合注意が必要である。本発明では特に（ｅ）成分として、アミンオキシド型界面活性剤、カルボベタイン型界面活性剤及びアルカノールアミド型界面活性剤から選ばれる界面活性剤の取り扱いに注意を要する。
【００４３】
アミンオキシド型界面活性剤としてはＮ−アルカノイルアミノプロピル−Ｎ，Ｎ−ジメチルアミンオキシド（アルカノイルとしてはラウロイル又はミリスチロイル）、Ｎ−アルキル−Ｎ，Ｎ−ジメチルアミンオキシド（アルキル基としてはラウリル基又はミリスチル基）を挙げることができる。また、カルボベタイン型界面活性剤としてはＮ−アルカノイルアミノプロピル−Ｎ，Ｎ−ジメチル−Ｎ−カルボキシメチルアンモニウムベタイン、Ｎ−アルキル−Ｎ，Ｎ−ジメチル−Ｎ−カルボキシメチルアンモニウムベタインを挙げることができる。さらに、アルカノールアミド型界面活性剤としてはモノエタノールアミン、ジエタノールアミン、メチルモノエタノールアミンなどのアルカノールアミンとラウリン酸、ミリスチン酸などの脂肪酸とのアミド化物を挙げることができる。
【００４４】
本発明においては泡の挙動が非常に重要であり、組成物に増泡効果を与える（ｅ）成分の使用には注意を要し、組成物中の（ｅ）成分の含有量が、好ましくは５質量％以下、より好ましくは３質量％以下、更に好ましくは２質量％以下、より更に好ましくは１質量％以下であり、より更に好ましくは０．５質量％以下、最も好ましくは含有しないことである。
【００４５】
本発明の手洗い用食器洗浄剤組成物は、すすぎ性改善の目的から、（ｆ）成分として、炭素数１０〜１８の脂肪酸又はその塩を含有しても良い。具体的にはデカン酸、ラウリン酸、ミリスチン酸、パルミチン酸、パルミトレイン酸、ステアリン酸、オレイン酸、リノール酸、リノレイン酸及びこれらの塩を挙げることができる。また、椰子組成脂肪酸などの混合脂肪酸を用いることも可能である。脂肪酸の塩としては、ナトリウム塩、カリウム塩、マグネシウム塩、アンモニウム塩から選ばれる無機塩、モノエタノールアミン塩、ジエタノールアミン塩、トリエタノールアミン塩などの有機アミン塩であるが、好ましくはナトリウム塩、カリウム塩、マグネシウム塩、より好ましくはナトリウム塩、カリウム塩が挙げられる。（ｆ）成分としては、より好ましくはラウリン酸、ミリスチン酸、パルミチン酸又はこれらの塩であり、より更に好ましくはラウリン酸、ミリスチン酸又はこれらの塩であり、最も好ましくはミリスチン酸又はその塩である。従って、起泡力及び泡消え性の観点からは（ｆ）成分がミリスチン酸又はその塩を含むことが好ましく、（ｆ）成分中、ミリスチン酸又はその塩の割合は２０〜１００質量％、更に５０〜１００質量％、更に８０〜１００質量％、また、２０質量％以上、更に５０質量％以上、更に８０質量％以上、そして、１００質量％以下、より更に１００質量％が好ましい。
【００４６】
（ｆ）成分の含有量は、組成物中、３質量％以下、更に２質量％以下、更に１質量％以下、更に０．５質量％以下、より更に０．３質量％以下が好ましく、０質量％も好ましい。
【００４７】
本発明の手洗い用食器洗浄剤組成物は、すすぎ時には瞬時にぬるつきがなくなり、少量の水ですすぎを完了できるという観点から、（ｇ）成分として、アルキルグリセリルエーテル（アルキル基の炭素数は６〜１８、好ましくは８〜１２、また、炭素数６以上、更に８以上、そして、１８以下、更に１２以下）を含有することが好ましい。具体的には下記一般式（３）の化合物が好適である。
Ｒ5−Ｏ−（Ｇｌｙ）r−Ｈ        （３）
〔式中、Ｒ5は炭素数６〜１８のアルキル基を示し、Ｇｌｙはグリセリンから２つの水素原子を除いた残基を示し、ｒは平均付加モル数で１〜４の数を示す。〕
【００４８】
一般式（３）において、Ｒ5は炭素数６〜１８、好ましくは７〜１２、より好ましくは８〜１０、また、炭素数６以上、更に７以上、更に８以上、そして、１８以下、更に１２以下、更に１０以下のアルキル基であり、ヘキシル基、ヘプチル基、オクチル基、ノニル基、デシル基などの直鎖アルキル基を用いることができるが、本発明ではすすぎ時のぬるつき低減の観点から、分岐構造を有する化合物が好適であり、Ｒ5の分岐構造を有する具体的なアルキル基として、２−エチルヘキシル基、ｓｅｃ−オクチル基、イソノニル基及びイソデシル基から選ばれる基がより好ましく、２−エチルヘキシル基又はイソデシル基が更に好ましく、２−エチルヘキシル基がより更に好ましい。一般式（３）において、ｒは１〜３が好ましく、１〜２がより好ましく、ｒ＝１の化合物が更に好ましい。より更に好ましい化合物は、Ｒ5が２−エチルヘキシル基で、かつ、ｒ＝１の化合物である。
【００４９】
Ｇｌｙで示される構造はグリセリンの１位と３位のヒドロキシ基が結合している−ＣＨ2ＣＨ（ＯＨ）ＣＨ2−で示される構造か、又はグリセリンの１位と２位のヒドロキシ基が結合している−ＣＨ（ＣＨ2ＯＨ）ＣＨ2−で示される構造であり、触媒や反応条件によって異なる。
【００５０】
一般式（３）の化合物を得るには、例えば炭素数６〜１０のアルコールとしてＲ5−ＯＨで示されるアルキルアルコールを用い、エピハロヒドリンやグリシドールなどのエポキシ化合物とを、ＢＦ3などの酸触媒、あるいはアルミニウム触媒を用いて反応させて製造する方法を用いることができる。
【００５１】
例えば、２−エチルヘキサノールを用いた場合、得られる２−エチルヘキシルモノグリセリルエーテルは、特開２００１−４９２９１号公報に記載されているように複数の生成物を含み得る混合物である。（ｇ）成分の含有量は、組成物中、０．５〜２０質量％、更に１〜１５質量％、より更に１．５〜１０質量％、また、０．５質量％以上、更に１質量％以上、更に１．５質量％以上、そして、２０質量％以下、更に１５質量％以下、更に１０質量％以下が好ましい。
【００５２】
本発明の手洗い用食器洗浄剤組成物は、貯蔵安定性や、洗浄時の増泡性、洗浄性能を向上することを目的として、すすぎ性を損ねない範囲内で非イオン界面活性剤〔（ｇ）成分に該当するものを除く〕〔以下（ｈ）成分という〕を使用してもよい。（ｈ）成分としては、ポリオキシアルキレンソルビタン脂肪酸エステル、ポリオキシアルキレン脂肪酸エステル、ポリオキシアルキレンアルキルエーテル、ポリオキシアルキレンアルキルフェニルエーテル、ショ糖脂肪酸エステル、ソルビタン脂肪酸エステル、アルキルグリコシド等の非イオン界面活性剤を挙げることができる。中でも、ポリオキシアルキレンアルキルエーテル及び／又はアルキルグリコシドが好適である。
【００５３】
（ｈ）成分の含有量は、組成物中に好ましくは１〜２０質量％、より好ましくは１．５〜１５質量％、更に好ましくは２〜１０質量％、また、好ましくは１質量％以上、更に１．５質量％以上、更に２質量％以上、そして、好ましくは２０質量％以下、更に１５質量％以下、更に１０質量％以下である。
【００５４】
本発明の手洗い用食器洗浄剤組成物は、貯蔵安定性を向上させる目的でハイドロトロープ剤〔以下、（ｉ）成分という〕を含有することが好ましい。ハイドロトロープ剤としては、トルエンスルホン酸、キシレンスルホン酸、クメンスルホン酸又はこれらのナトリウム、カリウムあるいはマグネシウム塩が良好であり、ｐ−トルエンスルホン酸又はその塩がより良好である。（ｉ）成分の含有量は、０．５〜２０質量％、より好ましくは１〜１５質量％、更に好ましくは１．５〜１０質量％、また、０．５質量％以上、更に１質量％以上、更に１．５質量％以上、そして、２０質量％以下、更に１５質量％以下、更に１０質量％以下である。
【００５５】
本発明の手洗い用食器洗浄剤組成物は、貯蔵安定性の改善や粘度調節の目的で、溶剤〔以下、（ｊ）成分という〕を含有することができる。溶剤の具体的例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、ベンジルアルコールから選ばれる水溶性有機溶媒が好ましい。なかでも、ブチルジグリコール、エタノール、及びプロピレングリコールから選ばれる１種以上の水溶性有機溶剤が好ましく、ブチルジグリコール、及びプロピレングリコールから選ばれる１種以上の水溶性有機溶剤が更に好ましい。ここで、水溶性有機溶剤とは、オクタノール／水分配係数（ＬｏｇＰｏｗ）が３．５以下の溶剤を指すものとする。（ｊ）成分の含有量は、組成物中に好ましくは１．５〜３０質量％、より好ましくは２〜２０質量％、更に好ましくは３〜１５質量％、また、好ましくは１．５質量％以上、更に２質量％以上、更に３質量％以上、そして、好ましくは３０質量％以下、更に２０質量％以下、更に１５質量％以下である。
【００５６】
本発明の手洗い用食器洗浄剤組成物には、ゲル化防止のための重合体〔以下、（ｋ）成分という〕、例えば特表平１１−５１３０６７号公報に記載されているゲル化防止重合体、とりわけポリアルキレングリコールを配合することが粘度調節及び貯蔵安定性の点から好ましい。ゲル化防止のための重合体としてのポリアルキレングリコールの具体例としては、ポリエチレングリコールを標準としたときのゲルパーミエーションクロマトグラフィーによって求められた重量平均分子量が２００〜３，０００のポリプロピレングリコール、及び重量平均分子量が２００〜３，０００のポリエチレングリコールを挙げることができる。（ｋ）成分の含有量は、組成物中に好ましくは０．０５〜１０質量％、より好ましくは０．１〜５質量％、更に好ましくは０．５〜３質量％、また、好ましくは０．０５質量％以上、更に０．１質量％以上、更に０．５質量％以上、そして、好ましくは１０質量％以下、更に５質量％以下、更に３質量％以下である。
【００５７】
本発明の手洗い用食器洗浄剤組成物は、上記成分を水に溶解／分散／乳化させた液体組成物の形態が好ましく、水溶液がより好ましい。用いる水は脱イオン水や蒸留水、或いは次亜塩素酸を０．５〜１０ｐｐｍ程度溶解させた次亜塩素酸滅菌水などを使用することができる。
【００５８】
本発明の手洗い用食器洗浄剤組成物の２５℃におけるｐＨは、好ましくは４〜９、より好ましくは４．５〜７、より好ましくは５〜６である。低温安定性の観点から、好ましくは４以上、より好ましくは４．５以上、より好ましくは５以上である。一方、洗浄力の観点から、好ましくは１０以下、より好ましくは９以下、より好ましくは８以下、より好ましくは７以下である。このようなｐＨへの調整は、硫酸、塩酸、リン酸から選ばれる無機酸、クエン酸、りんご酸、マレイン酸、フマール酸、コハク酸から選ばれる有機酸、水酸化ナトリウム、水酸化カリウム、水酸化マグネシウム、炭酸ナトリウム、炭酸カリウムなどの無機アルカリ剤を用いて行われる。本発明では、組成物に緩衝能を持たせることが起泡性／泡持続性の点から好ましく、上記有機酸、好ましくはクエン酸と、無機アルカリ剤とを併用することが好適である。有機酸はナトリウム塩やカリウム塩の形態で組成物に配合しても差し支えない。なお、ｐＨ調整のために用いた化合物のうち、水酸化マグネシウム等、（ｄ）成分に該当するものは、（ｄ）成分として取り扱うものとする。
【００５９】
本発明の手洗い用食器洗浄剤組成物の２０℃における粘度は、好ましくは５〜１５，０００ｍＰａ・ｓ、より好ましくは５〜８，０００ｍＰａ・ｓ、更に好ましくは５〜２，０００ｍＰａ・ｓ、更に好ましくは５〜５００ｍＰａ・ｓ、より更に好ましくは１０〜３００ｍＰａ・ｓ、また、好ましくは５ｍＰａ・ｓ以上、更に１０ｍＰａ・ｓ以上、そして、好ましくは１５，０００ｍＰａ・ｓ以下、更に８，０００ｍＰａ・ｓ以下、更に２，０００ｍＰａ・ｓ以下、更に５００ｍＰａ・ｓ以下、更に３００ｍＰａ・ｓ以下である。粘度は（ｉ）成分、（ｊ）成分、（ｋ）成分などで調整することができる。
【００６０】
本発明の手洗い用食器洗浄剤組成物は、香料、染料、顔料などの成分を含有することができる。
【００６１】
＜手洗い洗浄方法＞
本発明の手洗い用食器洗浄剤組成物は、食器の手洗い洗浄に用いられる。手洗い洗浄に用いられる洗浄液は、本発明の手洗い用食器洗浄剤組成物を用いて得られたものであり、組成物の原液又は水を含む希釈液が用いられる。具体的な手洗い洗浄方法としては、本発明の手洗い用食器洗浄剤組成物を用いた洗浄液を付着させた可撓性材料で食器を手洗い洗浄した後、水を用いてすすぎを行う、食器の洗浄方法が挙げられる。例えば、水を含んだスポンジなどの可撓性材料に本発明の組成物を付着させ洗浄液を保持させて、手で数回揉みながら泡立てて、食器をこすり洗いする。可撓性材料が保持する洗浄液中の（ａ）成分、（ｂ）成分、及び（ｃ）成分の合計濃度は、好ましくは１，０００〜３０，０００ｐｐｍ、より好ましくは１，０００〜２０，０００ｐｐｍ、更に好ましくは２，０００〜１０，０００ｐｐｍ、また、好ましくは１，０００ｐｐｍ以上、更に２，０００ｐｐｍ以上、そして、好ましくは３０，０００ｐｐｍ以下、更に２０，０００ｐｐｍ以下、更に１０，０００ｐｐｍ以下であることが、高い起泡性と泡持続性の点から好ましい。洗浄終了後には水を加えてすすぎを行うが、例えば、本発明では洗浄濃度に希釈された組成物１質量部に対してすすぎ水３．３〜１３３質量部で十分泡が消え、すすぎを速やかに完了することができる。このすすぎ水の量は、従来の手洗い用洗浄剤組成物を用いた場合の２／３〜１／１０程度である。なお、ここでの組成物１質量部とは、組成物純分の濃度を示し、前記のすすぎ水の量に関する記述は、希釈された濃度に関わらず、洗浄液の調製に用いた手洗い用食器洗浄剤組成物純分１質量部に対するすすぎ水が３．３〜１３３質量部で十分泡が消えることを示している。
【００６２】
また、別の具体的な手洗い洗浄方法としては、本発明の手洗い用食器洗浄剤組成物を水で希釈した洗浄液に食器を浸漬した後に、スポンジなどの可撓性材料を用いて食器を手洗い洗浄し、その後、水を用いてすすぎを行う、食器の洗浄方法が挙げられる。食器を浸漬する時間は、洗浄性向上の観点から１分以上が好ましく、３分以上がより好ましく、５分以上が更に好ましく、１０分以上がより更に好ましく、３０分以上が最も好ましく、また、２４時間以下が好ましく、１２時間以下がより好ましく、６時間以下が更に好ましく、３時間以下がより更に好ましく、１時間以下が最も好ましい。食器を浸漬する洗浄液中の（ａ）成分、（ｂ）成分、及び（ｃ）成分の合計濃度は、好ましくは１００ｐｐｍ以上、更に２００ｐｐｍ以上、そして、好ましくは３，０００ｐｐｍ以下、更に２，０００ｐｐｍ以下、更に１，０００ｐｐｍ以下であることが、高い起泡性と泡持続性の点から好ましい。洗浄終了後には水を加えてすすぎを行うが、例えば、本発明では、洗浄液の調製に用いた手洗い用食器洗浄剤組成物１質量部に対してすすぎ水３．３〜１３３質量部で十分泡が消え、すすぎを速やかに完了することができる。
【００６３】
本発明の態様を以下に例示する。
＜１＞  （ａ）下記一般式（１）で表されるスルホコハク酸アルキルエステル又はその塩、好ましくは、スルホコハク酸ジアルキルエステルまたはその塩、（ｂ）炭素数８〜２１の炭化水素基と、硫酸エステル塩基又はスルホン酸塩基とを有する陰イオン界面活性剤〔但し（ａ）を除く〕５〜３５質量％、好ましくは７〜２０質量％、より好ましくは９〜１５質量％、及び（ｃ）スルホベタイン型界面活性剤を含有する手洗い用食器洗浄剤組成物。
【００６４】
【化３】
0005654537.tif 000004
【００６５】
〔式中、Ｒ1、Ｒ2は、それぞれ、炭素数５〜１８、好ましくは６〜１４、より好ましくは７〜１０のアルキル基、好ましくは分岐構造を有するアルキル基又は水素原子、好ましくは２−エチルヘキシル基であり、Ｒ1、Ｒ2の少なくとも一方は炭素数５〜１８のアルキル基である。即ち、Ｒ1とＲ2が同時に水素原子である場合を除く。Ａ1、Ａ2はそれぞれ独立に炭素数２〜４、好ましくは２〜３のアルキレン基、ｘ、ｙは平均付加モル数でありそれぞれ独立に０〜６、好ましくは０〜３、より好ましくは０〜２、より好ましくは０〜１、より好ましくは０である。Ｍ1は陽イオン、好ましくは有機又は有機の陽イオンである。〕
【００６６】
＜２＞  更に、（ｄ）含マグネシウム無機化合物及び／又はアルキレンジアミン（アルキレン基は炭素数２〜６）、好ましくは塩化マグネシウム及び硫酸マグネシウムから選ばれる化合物を含有する＜１＞記載の手洗い用食器洗浄剤組成物。
【００６７】
＜３＞  （ｅ）アミンオキシド型界面活性剤、カルボベタイン型界面活性剤及びアルカノールアミド型界面活性剤から選ばれる界面活性剤の含有量が、組成物中５質量％以下、好ましくは３質量％以下、より好ましくは２質量％以下、より好ましくは１質量％以下、より好ましくは０．５質量％以下、より好ましくは０質量％以下である、＜１＞又は＜２＞記載の手洗い用食器洗浄剤組成物。
【００６８】
＜４＞  （ｂ）が、炭素数８〜１８のアルキル基を有するアルキル硫酸エステル塩、炭素数８〜１８のアルキル基を有し炭素数２〜３のオキシアルキレン基の平均付加モル数が０．１〜６、更に０．３〜３、更に０．４〜１．５であるポリオキシアルキレンアルキルエーテル硫酸エステル塩、炭素数８〜１５のアルキル基を有するアルキルベンゼンスルホン酸塩、並びに炭素数１０〜１５のアルカンスルホン酸塩から選ばれる陰イオン界面活性剤である、＜１＞〜＜３＞の何れか１項記載の手洗い用食器洗浄剤組成物。
【００６９】
＜５＞  （ｂ）成分が下記一般式（２）の化合物である、＜１＞〜＜４＞の何れか１項記載の手洗い用食器洗浄剤組成物。
Ｒ3−Ｏ−（Ｒ4Ｏ）n−ＳＯ3Ｍ2        （２）
〔式中、Ｒ3は、炭素数８〜１８、好ましくは８〜１５のアルキル基であり、Ｒ4は、エチレン基及び／又はプロピレン基であり、ｎは平均付加モル数であり０以上６以下の数、好ましくは０．１以上２以下の数である。Ｍ2は陽イオン、好ましくは無機又は有機の陽イオンである。〕
【００７０】
＜６＞  組成物中の全界面活性剤の含有量に対する（ａ）、（ｂ）、及び（ｃ）の合計質量が５０〜１００質量％、更に６０〜１００質量％、更に８０〜１００質量％、更に９０〜１００質量％である＜１＞〜＜５＞の何れか１項記載の手洗い用食器洗浄剤組成物。
【００７１】
＜７＞  更に、（ｆ）炭素数１０〜１８の脂肪酸又はその塩を、組成物中、３質量％以下、更に２質量％以下、更に１質量％以下、更に０．５質量％以下、より更に０質量％含有する＜１＞〜＜６＞の何れか１項記載の手洗い用食器洗浄剤組成物。
【００７２】
＜８＞  （ａ）成分がスルホコハク酸ジアルキルエステル又はその塩である＜１＞〜＜７＞の何れか１項記載の手洗い用食器洗浄剤組成物。
【００７３】
＜９＞  （ａ）成分を１質量％以上、好ましくは２質量％以上、より好ましくは３質量％以上、また、３０質量％以下、より好ましくは２５質量％以下、更に好ましくは２０質量％以下、より更に好ましくは１５質量％以下含有する、＜１＞〜＜８＞の何れか１項記載の手洗い用食器洗浄剤組成物。
【００７４】
＜１０＞  （ｂ）成分を５質量％以上、好ましくは７質量％以上、より好ましくは９質量％以上、また、３５質量％以下、好ましくは２０質量％以下、より好ましくは１５質量％以下含有する、＜１＞〜＜９＞の何れか１項記載の手洗い用食器洗浄剤組成物。
【００７５】
＜１１＞  （ｃ）成分を１質量％以上、より好ましくは２質量％以上、更に好ましくは３質量％以上、また、２０質量％以下、より好ましくは１４質量％以下、更に好ましくは１２質量％以下含有する、＜１＞〜＜１０＞の何れか１項記載の手洗い用食器洗浄剤組成物。
【００７６】
＜１２＞  （ａ）成分／（ｂ）成分の質量比が０．０３以上、好ましくは０．１５以上、より好ましくは０．２以上、更に好ましくは０．２５以上、また、２．５以下、好ましくは２以下、より好ましくは１．５以下、更に好ましくは１以下である、＜１＞〜＜１１＞の何れか１項記載の手洗い用食器洗浄剤組成物。
【００７７】
＜１３＞  （ｂ）成分／（ｃ）成分の質量比が０．３以上、より好ましくは０．５以上、更に好ましくは１以上、より更に好ましくは１．５以上、また、６以下、より好ましくは５以下、更に好ましくは４以下、より更に好ましくは３以下である、＜１＞〜＜１２＞の何れか１項記載の手洗い用食器洗浄剤組成物。
【００７８】
＜１４＞  （ａ）成分／（ｃ）成分の質量比が０．１以上、好ましくは０．３以上、より好ましくは０．６以上、また、５以下、好ましくは３以下、より好ましくは２．６以下、更に好ましくは２．３以下、より更に好ましくは１．８以下である、＜１＞〜＜１３＞の何れか１項記載の手洗い用食器洗浄剤組成物。
【００７９】
＜１５＞  （ｃ）成分／〔（ａ）成分＋（ｂ）成分〕の質量比が０．０２以上、より好ましくは０．１以上、更に好ましくは０．１５以上、また、２以下、より好ましくは１．５以下、更に好ましくは１以下、より更に好ましくは０．５以下である、＜１＞〜＜１４＞の何れか１項記載の手洗い用食器洗浄剤組成物。
【００８０】
＜１６＞  ２５℃におけるｐＨが、４以上、より好ましくは４．５以上、より好ましくは５以上であり、また、９以下、より好ましくは７以下、より好ましくは６以下である、＜１＞〜＜１５＞の何れか１項記載の手洗い用食器洗浄剤組成物。
【００８１】
＜１７＞  ２０℃における粘度が、５ｍＰａ・ｓ以上、より好ましくは１０ｍＰａ・ｓ以上、また、１５，０００ｍＰａ・ｓ以下、より好ましくは８，０００ｍＰａ・ｓ以下、更に好ましくは２，０００ｍＰａ・ｓ以下、より更に好ましくは５００ｍＰａ・ｓ以下、最も好ましくは３００ｍＰａ・ｓ以下である、＜１＞〜＜１６＞の何れか１項記載の手洗い用食器洗浄剤組成物。
【００８２】
＜１８＞  更に、（ｇ）成分として、アルキルグリセリルエーテル（アルキル基の炭素数は６〜１８、好ましくは８〜１２）を、組成物中、０．５質量％以上、更に１質量％以上、より更に１．５質量％以上、また、２０質量％以下、更に１５質量％以下、より更に１０質量％以下含有する、＜１＞〜＜１７＞の何れか１項記載の手洗い用食器洗浄剤組成物。
【００８３】
＜１９＞  更に、（ｉ）成分として、ハイドロトロープ剤を、組成物中に０．５質量％以上、より好ましくは１質量％以上、更に好ましくは１．５質量％以上、また、２０質量％以下、より好ましくは１５質量％以下、更に好ましくは１０質量％以下含有する、＜１＞〜＜１８＞の何れか１項記載の手洗い用食器洗浄剤組成物。
【００８４】
＜２０＞  更に、（ｊ）成分として、溶剤を、組成物中に１．５質量％以上、より好ましくは２質量％以上、更に好ましくは３質量％以上、また、３０質量％以下、より好ましくは２０質量％以下、更に好ましくは１５質量％以下含有する、＜１＞〜＜１９＞の何れか１項記載の手洗い用食器洗浄剤組成物。
【００８５】
＜２１＞  更に、（ｋ）成分として、重合体、好ましくは重量平均分子量が２００〜３，０００のポリプロピレングリコール、及び重量平均分子量が２００〜３，０００のポリエチレングリコールから選ばれる１種又は２種以上の重合体を、組成物中に０．０５質量％以上、より好ましくは０．１質量％以上、更に好ましくは０．５質量％以上、また、１０質量％以下、より好ましくは５質量％以下、更に好ましくは３質量％以下含有する、＜１＞〜＜２０＞の何れか１項記載の手洗い用食器洗浄剤組成物。
【００８６】
＜２２＞  ＜１＞〜＜２１＞の何れか１項記載の手洗い用食器洗浄剤組成物を用いた洗浄液で食器を手洗い洗浄し、その後、水を用いてすすぎを行う、食器の洗浄方法。
【００８７】
＜２３＞  ＜１＞〜＜２１＞の何れか１項記載の手洗い用食器洗浄剤組成物を用いた洗浄液を付着させた可撓性材料で食器を手洗い洗浄した後、水を用いてすすぎを行う、食器の洗浄方法。
【００８８】
＜２４＞  ＜１＞〜＜２１＞の何れか１項記載の手洗い用食器洗浄剤組成物を用いた洗浄液を付着させた可撓性材料で食器を手洗い洗浄した後、水を用いてすすぎを行う、食器の洗浄方法であって、可撓性材料が保持する洗浄液中の（ａ）成分、（ｂ）成分、及び（ｃ）成分の合計濃度が、好ましくは１，０００ｐｐｍ以上、更に２，０００ｐｐｍ以上、そして、好ましくは３０，０００ｐｐｍ以下、更に２０，０００ｐｐｍ以下、更に１０，０００ｐｐｍ以下であり、洗浄液の調製に用いた手洗い用食器洗浄剤組成物１質量部に対して水３．３〜１３３質量部を用いてすすぎを行う、食器の洗浄方法。
【００８９】
＜２５＞  ＜１＞〜＜２１＞の何れか１項記載の手洗い用食器洗浄剤組成物を水で希釈した洗浄液に食器を浸漬し、手洗い洗浄した後、水を用いてすすぎを行う、食器の洗浄方法。
【００９０】
＜２６＞  ＜１＞〜＜２１＞の何れか１項記載の手洗い用食器洗浄剤組成物を水で希釈した洗浄液に食器を浸漬した後に、可撓性材料を用いて食器をこすり洗いし、水を用いてすすぎを行う、食器の洗浄方法であって、食器を浸漬する時間が、好ましくは１分以上、より好ましくは３分以上、更に好ましくは５分以上、より更に好ましくは１０分以上、最も好ましくは３０分以上であり、また、好ましくは２４時間以下、より好ましくは１２時間以下、更に好ましくは６時間以下、より更に好ましくは３時間以下、最も好ましくは１時間以下であり、食器を浸漬する洗浄液中の（ａ）成分、（ｂ）成分、及び（ｃ）成分の合計濃度が、好ましくは１００ｐｐｍ以上、更に２００ｐｐｍ以上、そして、好ましくは３，０００ｐｐｍ以下、更に２，０００ｐｐｍ以下、更に１，０００ｐｐｍ以下であり、洗浄液の調製に用いた手洗い用食器洗浄剤組成物１質量部に対して水３．３〜１３３質量部を用いてすすぎを行う、食器の洗浄方法。
【００９１】
＜２７＞  ＜１＞〜＜２１＞の何れか１項記載の手洗い用食器洗浄剤組成物の、洗浄液で食器を手洗い洗浄し、その後、水を用いてすすぎを行う、食器の洗浄における使用。
【実施例】
【００９２】
表１及び下記の配合成分を用いて表１の手洗い用食器洗浄剤組成物を調製し、下記の各評価を行った。結果を表１に示す。なお、表１中の配合成分の質量％は、全て有効分に基づく数値である。
【００９３】
＜配合成分＞
・ａ−１：スルホコハク酸ジ−２−エチルヘキシルナトリウム試薬〔関東化学（株）〕
・ａ−２：スルホコハク酸ジポリオキシエチレン−２−エチルヘキシルナトリウム：スルホコハク酸とポリオキシエキレン−２−エチルヘキシルエーテルのエステル化反応で得られたものを用いた。ポリオキシエキレン−２−エチルヘキシルエーテルは、２−エチルヘキサノール１モルに対して、エチレンオキシドを１モル付加して得られた。
・ｂ−１：ラウリル硫酸ナトリウム
・ｂ−２：アルキル鎖が炭素数１２の天然アルコール１モルに、ＥＯを平均１モル付加したのち、三酸化イオウにより硫酸化し、水酸化ナトリウム水溶液でｐＨ調整と同時に希釈したもの（１０質量％水溶液のｐＨは１１）
・ｂ−３：アルキル鎖が炭素数１２の天然アルコール１モルに、ＰＯを平均０．６モル付加したのち、三酸化イオウにより硫酸化し、水酸化ナトリウム水溶液でｐＨ調整と同時に希釈したもの（１０質量％水溶液のｐＨは１１）
・ｂ−４：直鎖／分岐鎖混合アルコール〔サソール社製Ｉｓａｌｃｈｅｍ１２３（炭素数１２のアルキル基及び炭素数１３のアルキル基を含有し、分岐率は９４モル％）〕を、３酸化イオウで硫酸化し水酸化ナトリウムで中和した化合物（平均分子量：２９５）
【００９４】
・ｃ−１：Ｎ−ラウリル−Ｎ，Ｎ−ジメチル−Ｎ−（２−ヒドロキシスルホプロピル）アンモニウムスルホベタイン（花王（株）製：アンヒトール２０ＨＤ）
・ｃ’−１：Ｎ−ラウロイルアミノプロピル−Ｎ，Ｎ−ジメチル−Ｎ−カルボキシメチルアンモニウムベタイン（花王（株）製：アンヒトール２０ＡＢ）
・ｄ−１：ＭｇＣｌ2・６Ｈ2Ｏ（塩化マグネシウム６水塩）、配合には６水塩を用いたが、表１中の数値は、結晶水を除いた配合量で示した。
・ｅ−１：Ｎ−ラウリル−Ｎ，Ｎ−ジメチルアミンオキシド（花王（株）製：アンヒトール２０Ｎ）
【００９５】
＜起泡力（初期泡量）及び泡消え性＞
表１の食器洗浄剤組成物を３．５°ＤＨ硬水で３．２質量％に希釈し、特開２００８−２６０８５２号公報の図１記載のポンプフォーマー容器に充填した。ここで、泡吐出機構には、メッシュサイズ２００／インチのメッシュが１枚装着されていた。次いで、容器上部のポンプヘッド部を３プッシュ連続して押し切ることにより、３ｇの泡を５００ｍｌのメスシリンダーの中に作製した。なお、押し切るスピードは、１プッシュあたり１秒のスピードで行なった。このとき、メスシリンダーの目盛りからその容量を記録し、初期泡量とした。起泡性はこの初期泡量で評価した。
【００９６】
次に、メスシリンダーの上部に設置した硬水の導入手段（手製のジョウロ）を通して３．５°ＤＨ硬水を泡に１００ｍｌ添加し１０秒間放置した。この操作を、添加した硬水の合計が３００ｍｌになるまで繰り返した。最後の水を添加し、１０秒間放置した後の泡量を測定した。尚、泡消え性については、硬水３００ｍｌ添加において、次式で示す泡量変化率から求め、３００ｍｌ添加までに７０％以上になれば希釈（すすぎ）による速やかな泡消えが達成できるものと判断した。
泡量変化率（％）＝［１−（硬水３００ｍｌ添加後の泡量／初期の泡量）］×１００
【００９７】
硬水をメスシリンダーに添加するときの様子を図１に示す。図１中、１はメスシリンダー、２は泡、３は硬水の導入手段（手製のジョウロ）、４は該導入手段の開口部であり、図２は硬水の導入手段３の開口部４の穿孔状態を示す概略図である。硬水の導入手段である手製のジョウロの作製方法は、以下の通りである。先ず、２５０ｍｌのポリプロピレン製広口びん（アズワン製：アイボーイ広口びん）の底部から高さ約３分の１の本体部分迄を切除した。次いで、直径４ｃｍの薄い円状のポリエチレン製板に対して、図２に示すように、９ｍｍ間隔で１３個の直径２ｍｍの穴を開けたポリエチレン製多孔板を用意した。最後に、切除した広口びん上部のフタ開口部（直径４ｃｍ）に対して、上記のポリエチレン製多孔板を開口部４として固定して硬水の導入手段３（手製のジョウロ）を作製した。このようにして作製した硬水の導入手段３（手製のジョウロ）を、図１のように、倒置状態に保ちながら、メスシリンダー１の開口部にはめ込んだ。硬水は広口びんの切除側から投入した。
【００９８】
【表１】
0005654537.tif 000005
【図１】
0005654537.tif 000007
【図２】
0005654537.tif 000008